(57)【特許請求の範囲】
【請求項１】
前面に役物を配置し、裏面に前記役物の背部や、その役物に対して遊技内容を電子制御する回路基板などを配置した遊技盤を備えてなる遊技機において、
前記遊技盤の裏面に、前記役物の背部や前記回路基板等の電子部品の全域を覆うリヤカバーを配置し、このリヤカバーを、固定部により前記裏面に対して着脱自在に固定し、外枠に開閉自在に蝶着されている前面枠を、枠状フレームと、この枠状フレームに開閉自在に蝶着しているガラス枠と、前記枠状フレームの背面に固定され、前記枠状フレームの内周面とで前記遊技盤を着脱自在に組み付けているリヤプレートとで構成し、前記リヤプレートに、前記固定部を裏面側から覆う被覆部を設けたことを特徴とする遊技機の不正防止構造。
【請求項２】
前記リヤカバーを、透明な部材により形成したことを特徴とする請求項１記載の遊技機の不正防止構造。
【請求項３】
前記固定部の固定位置を複数箇所設け、前記リヤカバーが前記電子部品の被覆を解除する毎に、前記固定部による固定箇所を切断して順次新しい固定箇所で再固定するようにしたことを特徴とする請求項１又は２に記載の遊技機の不正防止構造。
【発明の詳細な説明】
【０００１】
【発明の属する技術分野】
この発明は、遊技機の遊技盤裏側に配置した電子部品への不正を防止する遊技機の不正防止構造に関する。
【０００２】
【従来の技術】
従来より、パチンコ等の遊技機では、電子制御によって特別な遊技価値を得ることができるようになっている。
パチンコ機の遊技盤の裏面には、センタ役物の背部やアタッカーの背部が突出し、センタ役物から離れた位置の遊技盤の裏面に、遊技内容を電子的に制御する複数の電子部品を備えた遊技制御基板や中継基板が配置されている。そして、遊技制御基板と中継基板との間、遊技制御基板とセンタ役物との間、さらには遊技制御基板とアタッカーとの間に多数の配線が配設されている。
【０００３】
ところで、特開２０００−５１４９３号公報には、前述した遊技制御基板を基板ケース内に収容することによって、遊技制御基板の電子部品を外部との接触から保護するとともに、不正なＲＯＭ等のＩＣチップの取り付けを防止する技術が開示されている。
この技術の基板ケースは、本体ベースと本体カバーによって構成されており、遊技制御基板は本体ベースに支持され、かつ本体カバーで被覆保護されている。また、本体カバーは、本体ベースに対して、前記回路基板を被覆を解除する被覆解除位置と、回路基板を保護する装着位置とを備え、本体カバーの装着位置で固定手段により本体ベースに固定するようになっている。そして、固定手段は、不正に固定解除しようとすると一部又は全部が破損するようになっており、その痕跡を残すことができるようになっている。
【０００４】
【発明が解決しようとする課題】
しかし、特開２０００−５１４９３号公報で示した技術は、制御回路基板のみを基板ケースで覆っているだけなので、制御回路基板以外の他の部品、中継基板、センタ役物やアタッカーに、不正なＲＯＭ等のＩＣチップや、それを搭載した基板、配線等の不正部品が取り付けられるおそれがある。
【０００５】
本発明は上記事情に鑑みてなされたものであり、遊技盤の裏面に配置している電子部品に対する不正を確実に防止することができる遊技機の不正防止構造を提供することを目的としている。
【０００６】
【課題を解決するための手段】
上記課題を解決するために、請求項１記載の遊技機の不正防止構造は、前面に役物を配置し、裏面に前記役物の背部や、その役物に対して遊技内容を電子制御する回路基板などを配置した遊技盤を備えてなる遊技機において、前記遊技盤の裏面に、前記役物の背部や前記回路基板等の電子部品の全域を覆うリヤカバーを配置し、このリヤカバーを、固定部により前記裏面に対して着脱自在に固定し、外枠に開閉自在に蝶着されている前面枠を、枠状フレームと、この枠状フレームに開閉自在に蝶着しているガラス枠と、前記枠状フレームの背面に固定され、前記枠状フレームの内周面とで前記遊技盤を着脱自在に組み付けているリヤプレートとで構成し、前記リヤプレートに、前記固定部を裏面側から覆う被覆部を設けた。
【０００８】
また、請求項２記載の発明は、請求項１記載の遊技機の不正防止構造において、前記リヤカバーを、透明な部材により形成した。
また、請求項３記載の発明は、請求項１又は２記載の遊技機の不正防止構造において、前記固定部の固定位置を複数箇所設け、前記リヤカバーが前記電子部品の被覆を解除する毎に、前記固定部による固定箇所を切断して順次新しい固定箇所で再固定するようにした。
【００１０】
【発明の実施の形態】
図１は、本発明に係るパチンコ機２の遊技盤４を取り外した状態を示す斜視図であって、このパチンコ機２は、店の島に取り付けられている外枠６と、この外枠６に開閉自在に蝶着されている前面枠８と、上皿等を設けた上皿セット１０と、下皿及び操作ハンドル等を設けた下皿セット１２とを備えている。
【００１１】
前面枠８は、外枠６に蝶着されているベニヤ製のフレーム１４と、このフレーム１４の前面に固定した合成樹脂製の装飾枠部材１６と、フレーム１４に開閉自在に蝶着しているガラス枠１８と、フレーム１４の背面に固定されており、フレーム１４の内周面とでガラス枠１８の内側に遊技盤４を着脱自在に組み付けることが可能なリヤプレート２０とを備えている。前記リヤプレート２０は、金属板を浅い筺形に形成したものであって、略中央部分には比較的大きな窓２２が開設されている。
【００１２】
ここで、リヤプレート２０の両側部には、金属板を折曲することにより奥側に凹んだ凹部２４が形成されており、この凹部２４が、後述する遊技盤４の裏面にリヤカバー６０を装着する際の第１の筒体ユニット６２を覆う構造となっている。なお、前記凹部２４が、本発明の被覆部に相当している。
図２は、遊技盤４を取り外した前面枠８の裏側を示す斜視図であって、フレーム１４に、上方から球を貯留する上タンク２６、球を誘導する下タンク２８、入賞球の処理や賞球の払出を制御する枠制御ボックス３０が配置されているとともに、下タンク２８に連通する賞球払出装置３２、賞球払出装置３２に連通する入賞球処理装置３４が夫々配置されている。なお、賞球払出装置３２及び入賞球処理装置３４は、リヤプレート２０に対して取り外し自在に蝶着されており、図２では、リヤプレート２０から取り外した状態を示している。
【００１３】
一方、遊技盤４は、図１に示すように、略方形のベニヤ板に構成された遊技板３６の前面の全域にデザイン図の描かれたセルシート３８を一体に結合してある。なお、セルシート３８としては、光透過性を有する透明なポリエチレンテレフタレートフィルム（ＰＥＴフィルムと俗称されている）製の表面パネルの裏面に点在配置されたエレクトロルミネセンスランプからなる複数の発光表示部と、発光表示部以外の部分である通常の塗料印刷にて形成された非発光表示部とからなるデザイン図を有しているものであってもよい。
【００１４】
遊技盤４の前面には全面にわたって複数の釘（図示せず）が打ち込まれており、レール４０を通って打ち出されたパチンコ玉が釘に当たって跳ねたり、釘によって形成される案内路に案内されながら、落下していくようになっている。この釘の他、前面の左右対称の位置には、風車４４が取り付けられており、パチンコ玉を予期しない方向へ方向転換させるようになっている。また、ゲージ部４２には複数の位置に入賞口４６、通過入賞口４７が設けられ、入賞口４６にパチンコ玉が入ることにより、所定数のパチンコ玉が遊技者に供給され、通過入賞口４７をパチンコ玉が通過すると、図示しない表示器を始動させるための権利を獲得する。さらに、前面中央にはセンタ役物４８が配置されており、このセンタ役物４８の表示部の下方に、センタ役物ユニット４８を始動するための始動入賞口５０、始動入賞口５０の下方に、大入賞口５２が配置されている。
【００１５】
また、図３に示すように、遊技盤４の裏面には、センタ役物４８の背部が突出し、このセンタ役物４８の背部周囲の位置に中継基板５４を配置していると共に、センタ役物４８より上方に離隔した位置にも中継基板５６を配置している。さらに、センタ役物４８の左側方部分の位置に、遊技制御回路の回路基板５８を配置している。この回路基板５８上には、遊技制御回路を構成する予め設定されたプログラムにしたがって動作するマイクロコンピュータ、前述した始動入賞口５０や入賞口４６への入賞検出による遊技状況に応じてセンタ役物４８や賞球排出機構を動作する信号を出力する遊技入出力部が実装されている。なお、回路基板５８上に、遊技状況に応じてセルシート３８の複数の発光表示部を点滅する信号を出力する発光出力部を実装してもよい。また、図を簡明にすることから、センタ役物４８と回路基板５８との間の配線、センタ役物４８と中継基板５４との間の配線などは、図３では省略してある。
【００１６】
ここで、遊技盤４の裏面はリヤカバー６０で覆われている。
このリヤカバー６０は、図３に示すように、センタ役物４８、中継基板５４、遊技制御回路の回路基板５８を完全に被覆できる横寸法Ｓ、縦寸法Ｗ、高さ寸法Ｈの箱型形状に形成した合成樹脂製の透明な部材であり、上部縁部の一部に切欠き部６０ａを設け、この切欠き部６０ａと遊技盤４の裏面との間に形成した空間を、中継基板５６及び回路基板５８の間で配線が通過可能な配線空間としている。  なお、図示しないが、リヤカバー６０の下部には、入賞口４６、始動入賞口５０、大入賞口５２に入った入賞球を集めて賞球処理装置３４に導く入賞通路が形成されている。
【００１７】
そして、このリヤカバー６０の横方向の両縁部に第１の筒体ユニット６２が一体形成されているとともに、リヤカバー６０が遊技盤４の裏面を覆ったときに前記第１の筒体ユニット６２に対向する遊技盤４の裏面の両側部にも、第２の筒体ユニット６４が配置されており、これら第１の筒体ユニット６２及び第２の筒体ユニット６４の係合によりリヤカバー６０が遊技盤４に着脱自在に固定されている。なお、前記第１及び第２の筒体ユニット６２、６４が、本発明の固定部に相当している。
【００１８】
第１の筒体ユニット６２は、リヤカバー６０の横方向両縁部の上部に一体形成した３個の円筒部材６６と、下部に一体形成した３個の円筒部材６６との２連で構成されている。
各円筒部材６６は、図４に示すように、リヤカバー６０の横方向縁部の辺に沿って並設されており、縁部の辺に主連結片６６ａによってそれぞれ連結されているとともに、円筒部材６６同士は副連結片６６ｂによって連結されている。
【００１９】
そして、図５にも示すように、円筒部材６６の内部には、スクリュードライバーと嵌合する頭部の溝がプラス溝とされたビス６６ｃが収容されている。このビス６６ｃは、先端から軸方向の中間部まで雄ねじ６６ｄが形成され、かつこの雄ねじの基部にはリング状の溝６６ｅが形成されている。
また、第２の筒体ユニット６４は、遊技盤４の裏面の両側部中央を切り欠いてなる切欠き部分を埋め込むように配置したブロック体６４ａのリヤカバー６０を向く面に、第１の筒体ユニット６２の円筒部材６６の配列ピッチと同一間隔で３個ずつの円孔６８を設けた筒体６８ａが形成されており、図５に示すように、円孔６８の内周面にビス６６ｃが螺合するようになっている。そして、円孔６８の開口部には、金属製薄肉状の係合プレート６８ｂを介して抑えプレート６８ｃがはめ込まれている。この抑えプレート６８ｃには、リング状の突起部が形成されており、このリング状の突起部内に、円筒部材６６の端面が緊密に嵌まり合うようになっている。
【００２０】
ここで、第１の筒体ユニット６２の円筒部材６６に収容されたビス６６ｃを第２の筒体ユニット６４の円孔６８に押し込みながらねじ込む際、ビス６６ｃは、係合プレート６８ｂを進行方向に弾性変形させながら螺合し、締め付け完了時には、係合プレート６８ｂの先端部がビス６６ｃに設けたリング状の溝６６ｅに入り込む。このため、ビス６６ｃを螺合解除しようとしても、係合プレート６８ｂとリング状の溝６６ｅとの嵌合により、ビス６６ｃは、抜け出せない構造となっている。
【００２１】
そして、遊技盤４の裏面にリヤカバー６０を固定する際には、第１の筒体ユニット６２の２連の３個ずつの円筒部材６６の内の１個を用いて固定する。
ここで、リヤカバー６０は、第１の円筒ユニット６２の主連結片６６ａと副連結片６６ｂをニッパ等で切除することにより、この固定部分を第２の筒体ユニット６４に残した状態で取り外すことが可能となっている。本実施の形態では、遊技盤４とリヤカバー６０との固定用として、２連の３個ずつの円筒部材６６を持ち、２連の１個づつ使用するため、２回の開放と最後の固定が繰り返し可能となる。
【００２２】
そして、裏面に固定したリヤカバー６０によりセンタ役物４８、中継基板５４及び回路基板５８が覆われている遊技盤４は、フレーム１４の内周面とリヤプレート２０に支持された状態で前面枠８内に組み付けられる。
この際、図６に示すように、リヤプレート２０の両側部に設けた凹部２４が、遊技盤４及びリヤカバー６０を固定している第１の筒体ユニット６２を外側から覆っている。
【００２３】
次に、不正な改造を防止するための本実施形態の作用を説明する。
遊技盤４に配置されているセンタ役物４８は、複数の電子部品によって制御される。電子部品にはＣＰＵ、ＲＯＭ、ＲＡＭのＩＣチップ等が含まれており、これらはすべて、遊技盤４の裏面に配置した遊技制御回路の回路基板５８上に取り付けられている。
【００２４】
この遊技制御回路の回路基板５８上のＲＡＭには、予め特別な図柄の組み合わせが複数種記憶されており、ＣＰＵでは実際に表示される図柄の組み合わせと、この記憶された図柄の組み合わせとを比較すると共に、比較の結果（一致か不一致か）を判定するようになっている。ここで、ＣＰＵにおいて比較した結果が一致したと判定すると、いわゆる当たりの状態となり、大入賞口５２が所定時間開放され、大量のパチンコ玉が遊技者に供給されるようになっている。
【００２５】
前記ＣＰＵでの比較結果が一致し、いわゆる当たりの状態となる確率、すなわちパチンコ遊技機２における遊技内容は、ＲＯＭによって制御されるため、ＲＯＭを不正に取り替えることにより遊技内容を変更することが可能である。
また、中継基板５４と回路基板５８との間の配線の途中や、センタ役物４８と回路基板５８との間の配線の途中に不正なＲＯＭ等のＩＣチップの不正部品を接続しても、遊技内容を変更することが可能である。
【００２６】
ところが、本実施形態は、遊技盤４の裏面に配置したリヤカバー６０が、センタ役物４８、中継基板５４、回路基板５８及びそれらの電子部品を接続している配線等の全体を覆っており、前面枠８を開けても前記部品と不正部品との取り替えや、配線等への不正部品の接続を行うことができない。
また、リヤカバー６０が透明であることから、回路基板５８や他の部品、配線等に取り付けられている電子部品の異常等を、遊技盤４にリヤカバー６０を固定したまま簡単に外観検査することができる。
【００２７】
また、不正を行うために、遊技盤４及びリヤカバー６０を固定している第１の筒体ユニット６２の連結部分を切断しようとしても、第１の筒体ユニット６２はリヤプレート２０の両側部に設けた凹部２４により覆われているので、破壊できない。若し、前面枠８から遊技盤４のみを取り外した場合には、第１の筒体ユニット６２が露出して連結部分の切断が可能となるが、前面枠８から遊技盤４の取り外し、第１の筒体ユニット６２の切断を行ってから不正部品との取り替えや、不正部品の接続までに多大な時間を要してしまうので、不正を行うことは不可能である。
【００２８】
次に、リヤカバー６０を遊技盤４に着脱する手順について説明する。なお、工場出荷段階では、第１の筒体ユニット６２の３個ずつ２連の円筒部材６６のうちの一番下の円筒部材６６に収容されているビス６６ｃを、これに対応する遊技盤４側の第２の筒体ユニットの円孔６８内にスクリュードライバを使用してねじ込み、遊技盤４にリヤリヤカバー６０が固定されているものとする。
【００２９】
通常、遊技盤４の裏面に配置されている遊技制御回路の回路基板５８は、所定期間をあけてＲＯＭや裏面（パターン）の検査が必要とされている。
リヤカバー６０を遊技盤４から分離すには、先ず、前面枠８から遊技盤４のみを取り外し後、リヤカバー６０の固定に使用している第１の筒体ユニット６２の円筒部材６６（３個ずつ２連の円筒部材６６のうちの一番下の円筒部材６６）に連結されている主連結片６６ａと副連結片６６ｂとを切除する。これにより、固定された円筒部材６６はリヤカバー６０から分離され、リヤカバー６０は遊技盤４から分離することができる。
【００３０】
検査収容後、再度リヤカバー６０を遊技盤４に固定する場合には、３個ずつ２連の円筒部材６６のうちの下から２番目の円筒部材６６に収容されているビス６６ｃを、これに対応する遊技盤４側の第２の筒体ユニットの円孔６８内にスクリュードライバを使用してねじ込み、遊技盤４側の第２の筒体ユニットの円孔６８内に係合して固定する。その後、再度の検査のためにリヤカバー６０を遊技盤４から分離する場合は、この２番目の円筒部材６６に連結している主連結片６６ａ及び副連結片６６ｂを切除する。これを繰り返すことにより、２回の開放、３回の固定が可能となる。
【００３１】
なお、本実施形態では、遊技盤４の裏面の両側部に第２の筒体ユニット６４を配置し、リヤカバー６０の横方向の両縁部に第１の筒体ユニット６２を配置した構造としたが、第１、第２の筒体ユニット６２、６４の配置位置はこれに限定されるものではない。
また、本実施形態では、遊技盤４及びリヤカバー６０の両側部に、第１、第２の筒体ユニット６２、６４をそれぞれ配置したが、両側部の一方に第１、第２の筒体ユニット６２、６４を配置し、他方を、遊技盤４及びリヤカバー６０をヒンジ等で連結している構造であってもよい。
【００３２】
また、本実施形態は、リヤプレート２０の両側部に設けた凹部２４が、遊技盤４及びリヤカバー６０を固定している第１の筒体ユニット６２を外側から覆っているが、前面枠８に一体化された部品であって第１の筒体ユニット６２を外側から覆う部材であれば、凹部２４に限ることはない。
また、第１、第２の筒体ユニット６２、６４にねじ込んだビス６６ｃが戻らない構造としては、ビス６６ｃのリング状の溝６６ｅと係合プレート６８ｂとの嵌合構造に限らず、例えば、リベット、又は接着といったように破損させなければ係合が解除できないといった構造であれば良いことは言うまでもない。
【００３３】
また、リヤカバー６０を遊技盤４から分離する場合に、円筒部材６６に一体形成した主連結片６６ａと副連結片６６ｂを切断することにより行っているが、本発明はこれに限るものではなく、例えば、第２の筒体ユニット６４に連結片を設け、これを切断して行う構造にしても何ら問題はない。
【００３４】
以上説明したように、請求項１記載の遊技機の不正防止構造によると、遊技盤の裏面に配置したリヤカバーが役物の背部や回路基板等の電子部品の全域を覆っており、このリヤカバーを固定部により遊技盤の裏面に対して着脱自在に固定したので、不正部品の取り替えや、配線等への不正部品の接続を行うことを防止することができる。
また、前面枠を構成しているリヤプレートの被覆部で、固定部を裏面側から覆っているので、不正行為の防止を確実に行うことができる。
【００３６】
また、請求項２記載の発明によると、リヤカバーが透明であることから、役物の背部や回路基板等の電子部品、配線等に取り付けられている電子部品の異常等を、遊技盤にリヤカバーを固定したまま簡単に外観検査することができる。
また、請求項３記載の発明によると、不正行為の防止を確実に行えるとともに、検査時に分離するリヤカバーを、複数回、確実に固定することができる。
【図面の簡単な説明】
【図１】本発明に係る遊技盤のみを外したパチンコ機の正面側を示す斜視図である。
【図２】遊技盤のみを外したパチンコ機の背面側を示す斜視図である。
【図３】遊技盤の裏面とこの裏面に固定するリヤカバーを示す斜視図である。
【図４】リヤカバーに一体に設けた固定部を構成する第１の筒体ユニットを示す図である。
【図５】リヤカバーに設けた第１の筒体ユニットと遊技盤に設けた第２の筒体ユニットを示す図である。
【図６】遊技機本体側に設けた被覆部が固定部を裏面側から覆っている状態を示す図である。
【符号の説明】
２    遊技機
４    遊技盤
８    前面枠
１４  フレーム（枠状フレーム）
１８  ガラス枠
２０  リヤプレート
２４  凹部（被覆部）
４８  センタ役物（役物）
５８  回路基板
６０  リヤカバー
６２  第１の筒体ユニット
６４  第２の筒体ユニット
６６  円筒部材
６６ａ  主連結片
６６ｂ  副連結片
６６ｃ  ビス
６８  円孔
【図１】
0003574053.tif 000002
【図２】
0003574053.tif 000003
【図３】
0003574053.tif 000004
【図４】
0003574053.tif 000005
【図５】
0003574053.tif 000006
【図６】
0003574053.tif 000007